(57)【特許請求の範囲】
【請求項１】
金額の支払い額に応じた今回のポイント数と、累計ポイント数と、を印字するためのポイントカードであって、
前記金額のレシートデータとして、
商品名を印字する商品名印字領域と、この商品名印字領域に印字された商品に対応する金額を印字する金額印字領域と、この金額印字領域に印字された金額の合計を印字する合計印字領域と、を有し、この合計印字領域に印字した合計金額と前記今回のポイント数とを照合可能としたことを特徴とするポイントカード。
【請求項２】
前記累計ポイント数に応じて提供される交換商品のリストを印字してあることを特徴とする請求項１記載のポイントカードおよびその印字装置。
【請求項３】
金額の支払い額に応じた今回のポイント数と、累計ポイント数と、を印字するためのポイントカードの印字装置であって、
前記金額のレシートデータとして、
商品名と、この商品名に印字された商品に対応する金額と、この金額に印字された金額の合計を印字する合計金額と、を前記ポイントカードに印字し、前記合計金額と前記今回のポイント数とを照合可能とすることを特徴とするポイントカードの印字装置。
【発明の詳細な説明】
【０００１】
【発明の属する技術分野】
本発明はポイントカードおよびその印字装置にかかるもので、とくに商品などの購入時に金額に応じてポイントを印字するポイントカードおよびその印字装置に関するものである。
【０００２】
【従来の技術】
従来のポイントカードについて図５にもとづき概説する。
図５は、ポイントカード１の平面図であって、ポイントカード１は、一般の小売り店はもちろん、レンタル店や専門店においてその販売促進用として用いられるものであり、その表面側に会員番号印字領域２、発行日印字領域３、最終使用日印字領域４、利用回数印字領域５、今回ポイント印字領域６、累計ポイント印字領域７を有するとともに、その裏面側に磁気記録領域８を有している。
【０００３】
ポイントカード１の表面には、加熱層を形成してあり、この加熱層は、印字加熱の温度に応じて透明状態および非透明状態を可逆的に変化することにより、最終使用日印字領域４、利用回数印字領域５、今回ポイント印字領域６および累計ポイント印字領域７において前回の各種データおよびポイントデータを更新して、新たなポイントデータなどの印字を可能とする。もちろん、表示内容をその都度更新可能な任意の印字方式を採用可能である。
【０００４】
こうした構成のポイントカード１は、たとえば商品の購入時に勘定台において、金額の支払いにともなってレシート９が発行されるとともに、リーダーライターなどにより、利用回数１０、ポイント数１１および累計ポイント数１２が更新して印字され、かつ、磁気記録領域８にそのデータが保存される。
【０００５】
レシート９自体は、商品の購入の履歴を証明するものとして必要なものではある反面、一度その内容を確認したら不要になる場合が多く、また、商品を持ちながらポイントカード１とともにレシート９の内容を見づらく、管理しづらいという問題がある。
【０００６】
【発明が解決しようとする課題】
本発明は以上のような諸問題にかんがみなされたもので、ポイントカードにおける各種のポイントデータとともにレシートデータも印字可能としたポイントカードおよびその印字装置を提供することを課題とする。
【０００７】
また本発明は、レシートを不要として商品購入者の取扱いの弁としたポイントカードおよびその印字装置を提供することを課題とする。
【０００８】
また本発明は、レシートが必要ではない購入者には余分のレシートの発行をせずポイントカードにそのレシートデータを表示可能としたポイントカードおよびその印字装置を提供することを課題とする。
【０００９】
また本発明は、レシートが必要ではない購入者には余分のレシートの発行をせず小売り店側もコストの削減が可能なポイントカードおよびその印字装置を提供することを課題とする。
【００１０】
【課題を解決するための手段】
すなわち本発明は、ポイントデータとともにレシートデータもポイントカードに印字して表示することに着目したもので、第一の発明は、金額の支払い額に応じた今回のポイント数と、累計ポイント数と、を印字するためのポイントカードであって、前記金額のレシートデータとして、商品名を印字する商品名印字領域と、この商品名印字領域に印字された商品に対応する金額を印字する金額印字領域と、この金額印字領域に印字された金額の合計を印字する合計印字領域と、を有し、この合計印字領域に印字した合計金額と前記今回のポイント数とを照合可能としたことを特徴とするポイントカードである。
【００１１】
上記累計ポイント数に応じて提供される交換商品のリストを印字してあることができる。
【００１２】
第二の発明は、金額の支払い額に応じた今回のポイント数と、累計ポイント数と、を印字するためのポイントカードの印字装置であって、前記金額のレシートデータとして、
商品名と、この商品名に印字された商品に対応する金額と、この金額に印字された金額の合計を印字する合計金額と、を前記ポイントカードに印字し、前記合計金額と前記今回のポイント数とを照合可能とすることを特徴とするポイントカードの印字装置である。
【００１３】
本発明によるポイントカードおよびその印字装置においては、ポイントデータとともにレシートデータもポイントカードに印字して表示するようにしたので、レシートが不要で、余分のレシートを発行することなく、ポイントデータおよびレシートデータをともに一枚のポイントカードにおいて確認することができ、管理が容易である。
【００１４】
とくに第一の発明によれば、ポイントデータおよびレシートデータをともに一枚のポイントカードに表示されるので、購入金額とポイントとの照合を容易に行うことができる。
【００１５】
また第二の発明よれば、レシートを発行せずにそのレシートデータをポイントカードに表示するだけであるので、レシートの用紙を無駄にすることなく、コスト削減に寄与することができる。もちろん、購入者からの要望があれば、ポイントカードの更新印字とは別にレシートを発行することができる。
【００１６】
【発明の実施の形態】
つぎに本発明の第１の実施の形態によるポイントカードおよびその印字装置を装備したポイントカードシステム２０を図１および図２にもとづき説明する。ただし、図５と同様の部分には同一符号を付し、その詳述はこれを省略する。
図１は、ポイントカードシステム２０の概略説明図であって、ポイントカードシステム２０は、レジスター２１と、ポイントカード２２と、を有する。
【００１７】
レジスター２１は、ＣＰＵ２３と、ＲＯＭ２４と、ＲＡＭ２５と、バーコードなどを読み込むためのスキャナー２６と、ディスプレイ２７と、ハードディスク２８と、レシート９用のプリンター２９と、キーボード３０と、リーダーライター３１（ポイントカード２２の印字装置）と、を有し、必要に応じて外部のホストコンピューター（図示せず）に接続することができる。
【００１８】
ポイントカード２２は、リーダーライター３１にこれを挿入することにより、リーダーライター３１がポイントカード２２のデータを読み取ったり、必要なデータ（レシートデータおよびポイントデータ）をポイントカード２２に書き込むことができる。
【００１９】
図２は、ポイントカード２２の表面に印字する各領域を示す平面図であって、ポイントカード２２は、前記ポイントカード１（図５）と同様の、会員番号印字領域２、発行日印字領域３、最終使用日印字領域４、利用回数印字領域５、今回ポイント印字領域６および累計ポイント印字領域７、さらには磁気記録領域８を有するとともに、レシートデータ印字領域３２を有している。
【００２０】
レシートデータ印字領域３２は、前記レシート９（図５）に印字して表示する内容と同等の内容を有するもので、商品名印字領域３３と、金額印字領域３４と、買上点数印字領域３５と、小計印字領域３６と、消費税印字領域３７と、合計印字領域３８と、を有する。
【００２１】
なお図３は、本発明の第２の実施の形態によるポイントカード４０の平面図であって、ポイントカード４０は、ポイントカード２２の印字領域に加えて、交換商品名印字領域４１を有する。
【００２２】
図４は、ポイントカードシステム２０におけるレジスター２１およびポイントカード２２の操作を示すフローチャート図であって、ステップＳ１において、レジスター２１は購入金額の演算を行い販売データ、すなわちレシートデータの処理を行う。
ステップＳ２において、金額に応じたポイントを演算し、今回の分および累計のポイント数を演算する。
【００２３】
さらにステップＳ３において、リーダーライター３１がここに挿入されたポイントカード２２の最終使用日印字領域４、利用回数印字領域５、今回ポイント印字領域６および累計ポイント印字領域７を印字するとともに、レシートデータ印字領域３２における商品名印字領域３３、金額印字領域３４、買上点数印字領域３５、小計印字領域３６、消費税印字領域３７および合計印字領域３８への印字を行う。
なお、図３に示したポイントカード４０には、交換商品名印字領域４１の内容も印字し、累計ポイント数１２が所定ポイント数に達したときに交換することができる商品名のリストを表示する。また、必要であれば、累計ポイント数１２により交換可能な商品名のみを表示するか、特別な注目線（図示せず）などを引くようにすることもできる。
【００２４】
かくして、商品の購入者は、ポイントカード２２（あるいはポイントカード４０）を見るだけで、レシートデータを確認し、レシート９なしでもこの購入金額（合計印字領域３８における合計値）に応じたポイント数１１が今回ポイント印字領域６および累計ポイント印字領域７に記入されているかを確認することができる。
もちろん、購入者の要望により、レシート９が必要であれば、上述の操作とは別にプリンター２９によりレシート９を従来と同様に印字発行することもできる。
【００２５】
【発明の効果】
以上のように本発明によれば、一枚のポイントカードにポイントデータおよびレシートデータをともに印字して表示可能としたので、余分のレシートを発行することなく、販売促進にポイントカードを活用することができる。
また、商品の購入者は、ポイントカードを見るだけで、レシートなしでもこの購入金額に応じたポイント数が今回ポイント印字領域および累計ポイント印字領域に印字されているかを容易に照合することができる。
【図面の簡単な説明】
【図１】本発明の第１の実施の形態によるポイントカード２２およびその印字装置（リーダーライター３１）を装備したポイントカードシステム２０の概略説明図である。
【図２】同、ポイントカード２２の表面に印字する各領域を示す平面図である。
【図３】本発明の第２の実施の形態によるポイントカード４０の平面図である。
【図４】ポイントカードシステム２０におけるレジスター２１およびポイントカード２２の操作を示すフローチャート図である。
【図５】従来のポイントカード１の平面図である。
【符号の説明】
１  ポイントカード（図５）
２  会員番号印字領域
３  発行日印字領域
４  最終使用日印字領域
５  利用回数印字領域
６  今回ポイント印字領域
７  累計ポイント印字領域
８  磁気記録領域
９  レシート
１０  使用回数
１１  ポイント数
１２  累計ポイント数
２０  ポイントカードシステム（図１）
２１  レジスター
２２  ポイントカード（第１の実施の形態、図２）
２３  ＣＰＵ
２４  ＲＯＭ
２５  ＲＡＭ
２６  スキャナー
２７  ディスプレイ
２８  ハードディスク
２９  プリンター
３０  キーボード
３１  リーダーライター（ポイントカード２２、４０の印字装置、第１の実施の形態、図１）
３２  レシートデータ印字領域
３３  商品名印字領域
３４  金額印字領域
３５  買上点数印字領域
３６  小計印字領域
３７  消費税印字領域
３８  合計印字領域
４０  ポイントカード（第２の実施の形態、図３）
４１  交換商品名印字領域
【図１】
0004064136.tif 000002
【図２】
0004064136.tif 000003
【図３】
0004064136.tif 000004
【図４】
0004064136.tif 000005
【図５】
0004064136.tif 000006